(57)【特許請求の範囲】
【請求項１】
乗客コンベアの欄干を照明する複数の照明モジュールと、
前記照明モジュールの配線を挿通するとともに前記欄干を構成する上部筐体の延在方向に沿って配置される管状部材と、
前記上部筐体に固定可能であるとともに前記管状部材の延在方向において外面のいずれかの位置に装着可能な第１ブラケットと、
前記照明モジュールに固定可能であるとともに前記第１ブラケットが装着された位置とは異なる前記外面に装着可能な第２ブラケットと、
を備える、欄干照明装置。
【請求項２】
前記第１ブラケットおよび前記第２ブラケットは、前記管状部材の外面に対して摺動可能である、請求項１に記載の欄干照明装置。
【請求項３】
前記管状部材に対する前記第１ブラケットの装着位置または前記管状部材に対する前記第２ブラケットの装着位置を固定する位置決め部材を備える、請求項１または請求項２に記載の欄干照明装置。
【請求項４】
前記管状部材は、前記照明モジュールの長手方向の長さに対応する位置に、隣接する前記照明モジュールとの電気的接続部を露出させる露出スペースを備える、請求項１から請求項３のいずれか１項に記載の欄干照明装置。
【請求項５】
前記管状部材は、前記露出スペースの近傍に前記照明モジュールの前記配線を、前記管状部材の内部で固定する固定部材を支持する支持部を備える、請求項４に記載の欄干照明装置。
【発明の詳細な説明】
【技術分野】
【０００１】
本発明の実施形態は、欄干照明装置に関する。
【背景技術】
【０００２】
従来、乗客コンベアであるエスカレータや移動歩道（所謂、動く歩道）等において、欄干部分を照明する照明装置を備えるものがある。既設の乗客コンベアの欄干照明の光源としては、蛍光灯が利用されている場合が多かったが、近年の省エネ化や照明効率の効率化等に伴い、ＬＥＤ光源に交換するするケースが増えてきた。この場合、欄干デッキの下部に固定された固定部材または欄干デッキに設けられた固定穴にねじ等の締結部材を用いて、ホルダを固定し、そのホルダにＬＥＤ光源および電力供給のための配線を取り付ける構造が多かった。
【先行技術文献】
【特許文献】
【０００３】
【特許文献１】特開２０１４−１１８２２６号公報
【発明の概要】
【発明が解決しようとする課題】
【０００４】
しかしながら、従来技術の場合、既設の乗客コンベアの欄干デッキの構造に合わせてＬＥＤ光源の設計をする必要があった。乗客コンベアは、その仕様によって構造が異なることが多く、それぞれの欄間デッキに合わせたＬＥＤ光源の固定構造の設計は、煩雑で有り、非効率的であり、改善の余地がある。また、従来技術の場合、ＬＥＤ光源の据え付け時に配線の固定作業を行うため、配線の固定具合によっては、配線がＬＥＤ光源にかかり、影ができて意匠性を損なってしまう場合がある。そのため、設置現場での作業に熟練を要したり、据え付けに時間がかかったりする等の問題があった。したがって、既設の乗客コンベアの欄干デッキの構造に依存せず、また、意匠性に影響を及ぼすことなく容易に配線作業ができる、欄干照明装置が提供できれば、設計の効率化や据え付け（交換）作業の効率化が図れて有意義である。
【課題を解決するための手段】
【０００５】
実施形態の欄干照明装置は、例えば、複数の照明モジュールと、管状部材と、第１ブラケットと、第２ブラケットと、を備える。照明モジュールは、乗客コンベアの欄干を照明する。管状部材は、照明モジュールの配線を挿通するとともに欄干を構成する上部筐体の延在方向に沿って配置される。第１ブラケットは、上部筐体に固定可能であるとともに管状部材の延在方向において外面のいずれかの位置に装着可能である。第２ブラケットは、照明モジュールに固定可能であるとともに第１ブラケットが装着された位置とは異なる外面に装着可能である。
【図面の簡単な説明】
【０００６】
【図１】図１は、実施形態の欄干照明装置を搭載可能な乗客コンベアの一例としてのエスカレータの構造を示す例示的かつ模式的な側面図である。
【図２】図２は、実施形態の欄干照明装置の構造を説明する例示的かつ模式的な部分的な側面図である。
【図３】図３は、実施形態の欄干照明装置において、第１ブラケットと欄干の上部筐体との接続態様および管状部材に対する第１ブラケットの装着態様を、管状部材の延在方向正面から見た場合の例示的かつ模式的な断面図である。
【図４】図４は、実施形態の欄干照明装置において、第２ブラケットと照明モジュールとの接続態様および管状部材に対する第２ブラケットの装着態様を、管状部材の延在方向正面から見た場合の例示的かつ模式的な断面図である。
【図５】図５は、実施形態の欄干照明装置において、管状部材を中心として第１ブラケット、第２部ラケット、および位置決め部材の装着態様を説明する例示的かつ模式的な斜視図である。
【発明を実施するための形態】
【０００７】
以下に、実施形態に係る欄干照明装置を図面に基づいて詳細に説明する。なお、この実施形態における構成要素には、当業者が置換可能、且つ、容易なもの、或いは実質的に同一のものが含まれ、以下の実施形態によりこの発明が限定されるものではない。
【０００８】
図１は、実施形態の欄干照明装置１０を搭載可能な乗客コンベアの一例としてのエスカレータ１２の構造を示す例示的かつ模式的な側面図である。エスカレータ１２は、無端状に連結された複数の踏段１４を周回（循環）移動させて動作することで乗客や荷物を運搬する。図１において、建造物（建築物）の上階側階床ＵＦと下階側階床ＤＦの間にトラス１６が設置されている。トラス１６上にはデッキ１８が設置され、当該デッキ１８に欄干パネル２０が支持されている。また、欄干パネル２０の上端部には欄干デッキ２２が取り付けられ、この欄干デッキ２２の上部に手摺レール２４が設けられている。そして、手摺レール２４の下部に欄干照明装置１０を取り付けられている。
【０００９】
エスカレータ１２の駆動機構は、主として、駆動源としてのモータ２６と、減速機２８と、駆動チェーン３０と、駆動スプロケット３２と、従動スプロケット３４と、踏段チェーン３６とを備えている。モータ２６と減速機２８とは、駆動装置Ｍを構成する。モータ２６は、例えば、上階側に設けられている。モータ２６の出力軸には、減速機２８が取り付けられている。
【００１０】
減速機２８は、モータ２６の回転を減速させ、モータ２６の回転トルクを増幅させる。減速スプロケット３８は、減速機２８の出力軸に設けられ、複数の歯を有する。駆動チェーン３０は、無端状に形成され、減速スプロケット３８と駆動スプロケット３２とに亘って掛けられている。駆動チェーン３０は、減速機２８を介して伝達されたモータ２６の駆動力によって、駆動スプロケット３２と減速スプロケット３８との周りを循環走行することで、駆動スプロケット３２を回転させる。すなわち、駆動チェーン３０は、減速機２８を介して伝達されたモータ２６の駆動力を駆動スプロケット３２に伝達する。駆動スプロケット３２は、踏段チェーン３６に噛み合う複数の歯を有し、駆動装置ＤＲからの駆動力により回転する。
【００１１】
エスカレータ１２は、駆動スプロケット３２と従動スプロケット３４との間に掛け渡された踏段チェーン３６を駆動させることで、無端状に連結された複数の踏段１４を周回移動させて動作する。これにより、踏段チェーン３６は、無端状に連結された複数の踏段１４を走行させる。
【００１２】
エスカレータ１２が下降方向に稼動する場合、上方の乗り口（上階側乗降口ＵＥ）において、複数の踏段１４の中で進行方向に向けて隣接する踏段１４同士が水平状でトラス１６内から進出される。そして、上部遷移カーブにおいて、隣接する踏段１４間の段差が拡大されて、複数の踏段１４は、階段状に遷移される。中間傾倒部において、複数の踏段１４は、階段状で下降される。続いて、下部遷移カーブにおいて、隣接する踏段１４間の段差が縮小されて、複数の踏段１４は、水平状に遷移される。下方の降り口（下階側乗降口ＤＥ）において、複数の踏段１４は、再び水平状となってトラス１６内に進入する。複数の踏段１４は、トラス１６内に進入された後に上方に反転され、帰路側を水平状で上昇される。複数の踏段１４は再度反転されて、上階側乗降口ＵＥにおいて、トラス１６内から進出される。上昇方向に稼動するエスカレータ１２では上述の動作の逆の動作となる。このように、上階側乗降口ＵＥおよび下階側乗降口ＤＥにおいて、踏段１４は、利用者を乗せる上面の踏み面を水平状として、トラス１６内から進出し、またはトラス１６内へ進入する。
【００１３】
エスカレータ１２は、複数の踏段１４の進行方向における両脇に一対の欄干Ｗを備える。欄干Ｗは、主として、スカートガードパネル（図示省略）と、内デッキ４０と、欄干パネル２０と、欄干デッキ２２と、手摺レール２４、および手摺レール２４上に設けられた手摺ベルト４２と、から構成されている。スカートガードパネルは、複数の踏段１４の走行方向（エスカレータ１２が稼働する下降方向および上昇方向）に対して直交する方向（幅方向）の両側において近接して、かつ、上階側乗降口ＵＥと下階側乗降口ＤＥとの間に亘って設けられている。スカートガードパネルの上側には、内デッキ４０が取り付けられている。内デッキ４０の上側には、例えば、ガラス板等の透明または半透明の部材で構成される欄干パネル２０が取り付けられている。欄干パネル２０の外周に取り付けられた手摺レール２４には、手摺ベルト４２が移動可能に嵌め込まれている。エスカレータ１２は、複数の踏段１４の進行に合わせて、その進行方向に欄干Ｗの手摺ベルト４２が手摺ベルト駆動チェーン（図示省略）によって周回移動するよう構成されている。
【００１４】
このようなエスカレータ１２の動作は、トラス１６内に設置される制御盤（制御装置）４４によって、減速機２８やモータ２６を制御することで実現される。制御盤４４は、物理的には、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）などを有するコンピュータで実現される。制御盤４４において実行される機能は、ＲＯＭに保持されるアプリケーションプログラムをＲＡＭにロードしてＣＰＵで実行することによって、ＣＰＵの制御のもとでエスカレータ１２内の各種装置を動作させるとともに、ＲＡＭやＲＯＭにおけるデータの読み出し、書き込みを行うことで実現される。
【００１５】
上述したようなエスカレータ１２において、例えば、欄干デッキ２２の内部に配置される欄干照明装置１０は、従来は蛍光灯が利用されることが多かったが、近年の省エネ化や照明効率の効率化等に伴い、ＬＥＤ光源に交換するするケースが増えてきた。そこで、本実施形態の欄干照明装置１０は、既存のエスカレータ１２に対して、既設の光源から例えばＬＥＤ光源に容易に交換できる構造を提供する。本実施形態の欄干照明装置１０は、ＬＥＤ光源に電力を供給するための配線を収容する管状部材を中心として、欄干Ｗの上部筐体である欄干デッキ２２側に管状部材を固定するための第１ブラケットと、ＬＥＤ光源（以下、照明モジュールという）を管状部材に固定する第２ブラケットと、で構成されている。
【００１６】
図２は、実施形態の欄干照明装置１０の構造を説明する例示的かつ模式的な部分的な側面図である。また、図３は、図２におけるＡ−Ａ断面を示す図である。つまり、欄干照明装置１０において、第１ブラケット４６と欄干デッキ２２（欄干Ｗの上部筐体）との接続態様および管状部材４８に対する第１ブラケット４６の装着態様を、管状部材４８の延在方向正面から見た場合の例示的かつ模式的な断面図である。また、図４は、図２におけるＢ−Ｂ断面を示す図である。つまり、欄干照明装置１０において、第２ブラケット５０と照明モジュール５２との接続態様および管状部材４８に対する第２ブラケット５０の装着態様を、管状部材４８の延在方向正面から見た場合の例示的かつ模式的な断面図である。また、図５は、欄干照明装置１０において、管状部材４８を中心として第１ブラケット４６、第２ブラケット５０、および位置決め部材の装着態様を説明する例示的かつ模式的な斜視図である。
【００１７】
図２、図３に示されるように、手摺レール２４を支持する欄干デッキ２２の下部には欄干パネル２０を固定するためのパネル押え５４が接合されている。そして、図３に示されるように、パネル押え５４に取り付けられた押しボルト５８によりパネル受け５６を押圧して欄干パネル２０を欄干デッキ２２に固定している。なお、パネル押え５４は、交換前の光源（例えば蛍光灯で構成される照明装置）を固定するブラケットとして用いられている場合もある。
【００１８】
図３に示されるように、パネル押え５４には、管状部材４８を欄干デッキ２２側に固定するための第１ブラケット４６が固定されている。本実施形態の場合、第１ブラケット４６は、ボルト等の締結部材によって当該第１ブラケット４６をパネル押え５４に固定するための取付部４６ａと、管状部材４８を把持するための第１把持部４６ｂとで構成されている。
【００１９】
取付部４６ａは、図５に示されるように、ブラケット支持部４６ａ１と、固定部４６ａ２で構成されている。ブラケット支持部４６ａ１は、例えば、スポット溶接やボルト止め等により第１把持部４６ｂを支持する。また、固定部４６ａ２には、固定穴４６ａ３が形成され、ボルト等によりパネル押え５４に固定される。つまり、第１ブラケット４６は、欄干デッキ２２の固定可能である。なお、固定穴４６ａ３に挿通されるボルトは、欄干パネル２０を欄干デッキ２２に押圧するための押しボルト５８と共用可能である。つまり、既設のエスカレータ１２で欄干パネル２０を固定するために利用していた押しボルト５８を利用して、本実施形態の第１ブラケット４６を共締め固定することができる。なお、他の実施形態では、押しボルト５８とは異なるボルトを用いて第１ブラケット４６をパネル受け５６に固定するようにしてもよい。
【００２０】
第１把持部４６ｂは、図３、図５に示されるように、一部に管状部材４８を受け入れるための開放部４６ｂ１を備えている。そして、開放部４６ｂ１より内側の部分に、管状部材４８の外面形状に対応した収容部４６ｂ２を備えている。開放部４６ｂ１の開口幅は、管状部材４８の外形より小さく形成され、管状部材４８に装着する際には、開放部４６ｂ１を押し広げ、管状部材４８を収容部４６ｂ２に収容する。つまり、第１ブラケット４６は、例えば、断面形状が略Ｃ字形状に形成され、管状部材４８の外周面を包囲して支持できるように構成されている。第１把持部４６ｂは、開放部４６ｂ１の開口幅を縮拡できるようにバネ性を備えるように構成される。また、そのバネ性により、収容部４６ｂ２に収容した管状部材４８を押圧支持し得る。第１ブラケット４６（第１把持部４６ｂ）によって管状部材４８を把持した場合、第１ブラケット４６は、管状部材４８の外面に対して摺動可能とすることができる。その結果、取付部４６ａがパネル押え５４に固定された後でも、管状部材４８の把持位置の調整が可能になり、例えば、既設のエスカレータ１２のパネル押え５４の位置、つまり、交換前の光源の固定位置に拘わらず、管状部材４８の設置位置の調整を行うことができる。この場合、第１ブラケット４６と管状部材４８と間の抵抗は、交換作業者が手動で摺動させることができる程度で、手で動かそうとしない場合には、把持位置を維持できる程度とすることが望ましい。なお、収容部４６ｂ２の形状は、管状部材４８の外形の形状に応じて変更可能で、例えば、管状部材４８の断面が多角形の場合、収容部４６ｂ２の形状も多角形とすることができる。
【００２１】
第１ブラケット４６は、取付部４６ａと第１把持部４６ｂとの接続をスポット溶接で行う場合は、金属板で形成され、接続をボルト止めや接触剤等で行う場合は、金属板の他、樹脂材料等で形成するようにしてもよい。
【００２２】
一方、第２ブラケット５０は、図４、図５に示されるように、第１ブラケット４６における第１把持部４６ｂと同様な形状の第２把持部５０ａで構成されている。第２把持部５０ａ（第２ブラケット５０）は、管状部材４８の外面において、第１把持部４６ｂ（第１ブラケット４６）が装着された位置とは異なる位置に装着される。第２把持部５０ａは、第１把持部４６ｂと同様に、管状部材４８を把持するための部材である。本実施形態の場合、第２ブラケット５０の第２把持部５０ａは、照明モジュール５２のフレーム部分に、スポット溶接、ボルト締め、接着剤等により接合されている。
【００２３】
図４、図５に示されるように、第２把持部５０ａは、第１把持部４６ｂと同様に、一部に管状部材４８を受け入れるための開放部５０ａ１を備えている。そして、開放部５０ａ１より内側の部分に、管状部材４８の外面形状に対応した収容部５０ａ２を備えている。開放部５０ａ１の開口幅は、管状部材４８の外形より小さく形成され、管状部材４８に装着する際には、開放部５０ａ１を押し広げ、管状部材４８を収容部５０ａ２に収容する。つまり、第２ブラケット５０は、例えば、断面形状が略Ｃ字形状に形成され、管状部材４８の外周面を包囲して支持できるように構成されている。第２把持部５０ａは、開放部５０ａ１の開口幅を縮拡できるようにバネ性を備えるように構成される。また、そのバネ性により、収容部５０ａ２に収容した管状部材４８を押圧支持し得る。したがって、第１把持部４６ｂと第２把持部５０ａとは、共用部品として構成し得る。第２ブラケット５０（第２把持部５０ａ）によって管状部材４８を把持した場合、第２ブラケット５０は、管状部材４８の外面に対して摺動可能とすることができる。その結果、照明モジュール５２が管状部材４８に装着された後でも、管状部材４８に対する装着位置の調整が可能になる。したがって、既設のエスカレータ１２の光源の固定位置に拘わらず、また、交換する照明モジュール５２の形状をエスカレータ１２の仕様に併せることなく、設置位置を適切な位置に調整することができる。この場合、第２ブラケット５０と管状部材４８と間の抵抗は、交換作業者が手動で摺動させることができる程度で、手で動かそうとしない場合には、把持位置を維持できる程度とすることが望ましい。なお、収容部５０ａ２の形状は、管状部材４８の外形の形状に応じて変更可能で、例えば、管状部材４８の断面が多角形の場合、収容部４６ｂ２の形状も多角形とすることができる。
【００２４】
第２ブラケット５０は、第２把持部５０ａと照明モジュール５２との接続をスポット溶接で行う場合は、金属板で形成され、接続をボルト止めや接触剤等で行う場合、金属板の他、樹脂材料等で形成するようにしてもよい。なお、照明モジュール５２の下方には、例えば、乳白色等の樹脂材料で形成されたランプカバー６０が、照明モジュール５２の長手方向に沿って配置されている。ランプカバー６０は、照明モジュール５２から射出される光を拡散させ、照明モジュール５２を構成するＬＥＤの光点が目立たないようにしている。
【００２５】
管状部材４８は、例えば、上階側から下階側に亘って同じ形状（例えば、同じ直径の円柱形状）で形成され、第１ブラケット４６および第２ブラケット５０を装着した際に形状が保持できる剛性があれば、例えば金属や樹脂で構成することができる。管状部材４８は、欄干デッキ２２の延在方向に沿って配置される中空のチューブ形状の部材で、図５に示されるように、中空内部に照明モジュール５２に電力を供給するための配線５２ａを挿通可能である。前述したように、管状部材４８の断面は、例えば円形であり、長手方向の長さは、例えば照明モジュール５２の長手方向の長さに対応するように設定されている。欄干Ｗを良好に照明する場合、下階側乗降口ＤＥに対応する部分から上階側乗降口ＵＥに対応する部分に至るまで照明モジュール５２を配置する必要がある。この場合、照明モジュール５２は、製造や保管の利便性を考慮し、例えば、１ｍ〜数ｍの長さを単位長さとして製造される場合が多い。したがって、エスカレータ１２に照明モジュール５２を設置する場合は、複数本の照明モジュール５２を例えば並列接続し、欄干Ｗの全体を照明するようにしている。なお、管状部材４８の断面形状は、内部に配線５２ａが挿通可能であり、第１ブラケット４６および第２ブラケット５０を外面に装着可能な形状であれば、円形に限定されにない。例えば、断面が多角形状でもよい。なお、第１把持部４６ｂと第２把持部５０ａとの部品の共通化を考慮する場合、管状部材４８の断面は、上下が対称形状の円形や、四角形、六角形等の多角形が好適である。
【００２６】
本実施形態の場合、図２に示されるように管状部材４８は、例えば、照明モジュール５２の長手方向の長さに対応する位置に、隣接する照明モジュール５２の配線５２ａとの電気的接続部（例えば接続環５２ｂ）を露出させる露出スペース６２を備える。露出スペース６２は、エスカレータ１２に欄干照明装置１０を設置する際に、配線５２ａの電気的接続を行う場合の作業スペースとなる。図２の場合、隣接する管状部材４８は、照明モジュール５２の長手方向の長さに対応して完全に分離される形態で図示されている。図２の場合、露出スペース６２は、誇張表現されているが、隣接する配線５２ａの電気的な接続作業ができればよく、隣接する照明モジュール５２は、実質的には密接配置されるようにすることができる。露出スペース６２を設けることにより、複数の照明モジュール５２を電気的に接続する場合でも、容易に接続作業を行うことができる。図２の場合、隣接する管状部材４８が完全に分離されている例を示している。他の実施形態では、管状部材４８の長手方向の長さと照明モジュール５２の長手方向の長さは、必ずしも一致させる必要はなく、隣接する配線５２ａの電気的な接続作業ができれば、例えば、管状部材４８の一部に開口窓を設けて、露出スペース６２としてもよい。
【００２７】
また、本実施形態の管状部材４８は、図２に示されるように、露出スペース６２の近傍に照明モジュール５２の配線５２ａを、管状部材４８の内部で固定する固定部材（例えば、結束用バンド６４）を支持する支持部としてバンド挿通穴６６を備える。このように、配線５２ａを結束用バンド６４で管状部材４８に固定することにより、図１に示されるように、欄干照明装置１０（管状部材４８）がエスカレータ１２の傾斜に従い斜め姿勢（例えば、３０°の姿勢）で配置される場合でも、配線５２ａの自重を管状部材４８で受けることが可能になり、配線５２ａ同士の接続部である接続環５２ｂに対する負荷が軽減可能となり、接触不良や断線等の回避に寄与できる。また、欄干照明装置１０の設置作業時に管状部材４８から配線５２ａが抜け落ちることを防止し、作業効率の向上に寄与することができる。なお、配線５２ａの接続部（接続環５２ｂの位置）を金属カバー等で覆い、接続部が照明モジュール５２の照明範囲に入り込まないようにしてもよい。
【００２８】
ところで、前述したように、第１ブラケット４６および第２ブラケット５０は、管状部材４８の外面に対して摺動可能となるように構成されている。したがって、図１のように、エスカレータ１２の傾斜に沿って欄干照明装置１０が設置された場合、第１ブラケット４６に対して管状部材４８が自重により下階側に滑ってずれてしまう場合があり得る。同様に、管状部材４８に対して、照明モジュール５２の自重により第２ブラケット５０が下階側に滑ってずれてしまう場合があり得る。そこで、本実施形態の欄干照明装置１０の場合、管状部材４８に対する第１ブラケット４６の装着位置または管状部材４８に対する第２ブラケット５０の装着位置を固定する位置決め部材を備える。位置決め部材としては、例えば、管状部材４８の外面に、実質的に密着状態で装着可能なカラー６８を用いることができる。カラー６８は、例えば、樹脂材料や金属で形成することができる。カラー６８は、図５に示されるように、第１把持部４６ｂや第２把持部５０ａと同様に、管状部材４８を受け入れるための開放部６８ａを備えた、断面が管状部材４８の断面形状に対応した、例えばＣ字形状に形成されている。
【００２９】
カラー６８の開放部６８ａの開口幅は、管状部材４８の外形より小さく形成され、管状部材４８を装着する際には、開放部６８ａを押し広げ、管状部材４８を収容部６８ｂに収容する。カラー６８を装着することにより、管状部材４８に対して、第１把持部４６ｂおよびカラー６８の摺動抵抗が生じるため、第１ブラケット４６に対して管状部材４８がずれることを抑制できる。同様に、カラー６８を装着することにより、管状部材４８に対して、第２把持部５０ａおよびカラー６８の摺動抵抗が生じるため、管状部材４８に対して第２ブラケット５０がずれることを抑制できる。なお、第１ブラケット４６に対するカラー６８の装着位置は、第１ブラケット４６の上階側の端部に接する位置である。一方、第２ブラケット５０に対するカラー６８の装着位置は、第２ブラケット５０の下階側の端部に接する位置である。また、カラー６８は、第１ブラケット４６や第２ブラケット５０のずれを抑制すること目的とする部材であるため、カラー６８のバネ性は、第１把持部４６ｂや第２把持部５０ａのバネ性より強く設定してもよい。なお、欄干照明装置１０の設置作業時にカラー６８に代えて、例えば、テープ等をカラー６８の装着位置に巻回して、位置決め部材と同様な効果を実現する突起を形成してもよい。また、位置決め部材の変形例として、例えば、第１ブラケット４６の開放部４６ｂ１にパッチン錠（draw  latch）等の留め金機構を設け収容部４６ｂ２を縮径するようにしてもよい。同様に、第２ブラケット５０の開放部５０ａ１に留め金機構等を設け収容部５０ａ２を縮径するようにしてもよい。
【００３０】
上述したように、本実施形態の欄干照明装置１０によれば、第１ブラケット４６に支持される管状部材４８のいずれかの位置に照明モジュール５２を支持する第２ブラケット５０を装着することができる。その結果、既設のエスカレータ１２の欄干デッキ２２の構造に依存せずに、欄干照明装置１０の設置（交換）を行うことができる。つまり、エスカレータ１２の仕様ごとに欄干照明装置１０の設計を行う必要がなく設計の効率化、部品の共通化、交換作業の効率化等を行うことができる。また、本実施形態の欄干照明装置１０によれば、第１ブラケット４６および第２ブラケット５０を装着する管状部材４８の内部に照明モジュール５２の配線５２ａを挿通することができる。その結果、配線５２ａが照明モジュール５２の照明範囲に入り込み影を形成してしまう等の欄干照明装置１０の照明品質（意匠性）に影響を及ぼすことを抑制可能となり、容易に配線作業を行うことができる。
【００３１】
また、本実施形態の欄干照明装置１０によれば、管状部材４８に対して、第１ブラケット４６は開放部４６ｂ１を介して、第２ブラケット５０は開放部５０ａ１を介して、容易に着脱可能である。つまり、欄干デッキ２２に固定された第１ブラケット４６に対する管状部材４８の着脱および照明モジュール５２を支持する第２ブラケット５０の管状部材４８に対する着脱を容易に行うことができる。したがって、照明モジュール５２の不良等により照明モジュール５２を再交換する場合でも、交換作業を容易に行うことができる。
【００３２】
なお、上述した欄干照明装置１０は、エスカレータ１２に適用する場合を説明した。他の実施形態としては、乗客コンベアの他の例として例えば移動歩道（所謂、動く歩道）に、上述した欄干照明装置１０を適用することも可能で、同様の効果を得ることができる。また、踏段１４が段差を伴った状態で移動する領域と水平な状態で移動する領域が混在するような乗客コンベアにも適用可能であり、同様効果を得ることができる。
【００３３】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１０…欄干照明装置、１２…エスカレータ、１４…踏段、１６…トラス、２０…欄干パネル、２２…欄干デッキ、２４…手摺レール、４６…第１ブラケット、４６ａ…取付部、４６ａ１…ブラケット支持部、４６ａ２…固定部、４６ａ３…固定穴、４６ｂ…第１把持部、４６ｂ１，５０ａ１…開放部、４６ｂ２，５０ａ２…収容部、４８…管状部材、５０…第２ブラケット、５０ａ…第２把持部、５２…照明モジュール、５２ａ…配線、６２…露出スペース、６４…結束用バンド、６６…バンド挿通穴、６８…カラー。
【要約】      （修正有）【課題】既設の乗客コンベアの欄干デッキの構造に依存せず、また、意匠性に影響を及ぼすことなく容易に配線作業ができる、欄干照明装置を提供する。【解決手段】欄干照明装置は、例えば、複数の照明モジュール５２と、管状部材４８と、第１ブラケット４６と、第２ブラケット５０と、を備える。照明モジュール５２は、乗客コンベアの欄干を照明する。管状部材４８は、照明モジュール５２の配線５２ａを挿通するとともに欄干を構成する上部筐体の延在方向に沿って配置される。第１ブラケット５２は、上部筐体に固定可能であるとともに管状部材４８の延在方向において外面のいずれかの位置に装着可能である。第２ブラケット５０は、照明モジュール５２に固定可能であるとともに第１ブラケット４８が装着された位置とは異なる外面に装着可能である。【選択図】図２【図１】
0006855608.tif 000002
【図２】
0006855608.tif 000003
【図３】
0006855608.tif 000004
【図４】
0006855608.tif 000005
【図５】
0006855608.tif 000006